(57)【要約】  【課題】  音声信号の劣化を抑えることができる増幅装置、およびこの増幅装置を備えた音響システムを提供する。  【解決手段】  第１音響利得を有し、第１音響利得に応じてアナログオーディオ信号を増幅し、第１音響利得が変更可能な第１増幅器１３と、アナログオーディオ信号をデジタルオーディオ信号に変換する変換器１４と、第２音響利得を有し、変換器１４によって変換されたデジタルオーディオ信号を第２音響利得に応じて増幅し、第２音響利得が変更可能な第２増幅器１５と、第１音響利得の変化に応じて第２音響利得を変更し、第１音響利得と第２音響利得との合成利得を一定に維持するよう制御する制御器１６とを備える。【選択図】  図１
2005223831.tif 000002
【特許請求の範囲】
【請求項１】
第１音響利得によりアナログオーディオ信号を増幅する第１増幅手段と、前記アナログオーディオ信号をデジタルオーディオ信号に変換する変換手段と、第２音響利得により、前記変換手段によって変換された前記デジタルオーディオ信号を増幅する第２増幅手段と、前記第１音響利得の変化に応じて前記第１音響利得と前記第２音響利得との合成利得を一定に維持するように前記第２音響利得を制御する制御手段とを備えることを特徴とする増幅装置。
【請求項２】
複数の音響調整卓と、複数のデジタルオーディオ信号を前記複数の音響調整卓にそれぞれ出力する少なくとも１つの増幅装置とを備え、
前記増幅装置は、第１音響利得により、アナログオーディオ信号を増幅する第１増幅手段と、前記アナログオーディオ信号をデジタルオーディオ信号に変換する変換手段と、第２音響利得により、前記変換手段によって変換されたデジタルオーディオ信号を増幅する第２増幅手段と、複数の第３音響利得を各々有し、前記第２増幅手段によって増幅されたデジタルオーディオ信号を前記複数の第３音響利得に応じて各々増幅する複数の第３増幅手段と、前記第１音響利得の変化に応じて前記第２音響利得を変更し、前記第１音響利得と前記第２音響利得との合成利得を一定に維持するよう制御する制御手段とを含み、
前記変換手段は、前記変換手段が変換したデジタルオーディオ信号を前記複数の音響調整卓の内の１つに出力し、
前記複数の第３増幅手段は、前記複数の第３増幅手段が各々増幅したデジタルオーディオ信号を前記１つの音響調整卓を除く複数の音響調整卓に出力し、
前記第１音響利得の変更を示す制御信号が前記１つの音響調整卓から前記制御手段に入力されたとき、前記制御手段は、前記第１音響利得と前記第２音響利得との合成利得を一定に維持して第２音響利得を変更するよう前記第２増幅手段を制御し、
前記第３音響利得の変更を示す制御信号が前記１つの音響調整卓を除く前記複数の音響調整卓の何れかから前記制御手段に入力されたとき、前記制御手段は、前記第３増幅手段の前記第３音響利得を制御することを特徴とする音響システム。
【請求項３】
複数の音響調整卓と、複数のデジタルオーディオ信号を前記複数の音響調整卓にそれぞれ出力する少なくとも１つの増幅装置とを備え、
前記増幅装置は、第１音響利得により、アナログオーディオ信号を増幅する第１増幅手段と、前記アナログオーディオ信号をデジタルオーディオ信号に変換する変換手段と、第２音響利得により、前記変換手段によって変換されたデジタルオーディオ信号を増幅する第２増幅手段と、第３音響利得により、前記第２増幅手段によって増幅されたデジタルオーディオ信号を各々増幅する複数の第３増幅手段と、前記複数の音響調整卓の内の何れか１つを主調整卓として設定し、前記主調整卓として設定された音響調整卓を除く前記複数の音響調整卓をそれぞれ従属調整卓として設定する設定手段と、前記主調整卓として設定された音響調整卓には前記第２音響利得と前記第３音響利得とを特定の値に固定して増幅されたデジタルオーディオ信号が入力されるよう制御し、前記従属調整卓として設定された音響調整卓には前記第１音響利得の変化に応じて前記第２音響利得を変更し、前記第１音響利得と前記第２音響利得との合成利得を一定に維持して増幅されたデジタルオーディオ信号が入力されるよう制御する制御手段とを含むことを特徴とする音響システム。
【請求項４】
前記制御手段は、前記第１音響利得の変化量を検出する検出ユニットと、前記検出ユニットによって検出された変化量に基いて前記第１音響利得が変更されたか否かを判定し、前記第１音響利得が変更されたと判定した時点から予め設定された時間を経過したか否かを判定する判定ユニットとを備え、前記判定ユニットが予め設定された時間を経過したと判定した場合、前記第２音響利得を変更することを特徴とする請求項２または請求項３に記載の音響システム。
【発明の詳細な説明】
【技術分野】
【０００１】
本発明は、放送スタジオや多目的ホールにおいてマイクロホン等から出力されるアナログオーディオ信号を増幅し、複数の音響調整卓から音響利得が変更可能な増幅装置、およびこの増幅装置を備えた音響システムに関するものである。
【背景技術】
【０００２】
従来、放送スタジオや多目的ホールにおいてマイクロホン等から出力されたアナログオーディオ信号を音響調整卓に入力する場合の音響システムとして、マイクロホンから出力されたアナログオーディオ信号を増幅するヘッドアンプと、このヘッドアンプによって増幅されたアナログオーディオ信号をデジタルオーディオ信号に変換し、変換したデジタルオーディオ信号を音響調整卓に入力するアナログデジタル変換器と、このヘッドアンプの音響利得等を変更する制御装置とを備えたものが知られている（例えば特許文献１参照）。
【０００３】
例えば、放送スタジオや多目的ホールにおいて２台の音響調整卓を配設する場合、従来の音響システム５は、図６に示すように、マイクロホン５１から出力されたアナログオーディオ信号が２台の音響調整卓５０ａおよび５０ｂのそれぞれに入力されるようマイクロホン５１から出力されたアナログオーディオ信号を２つに分配するアナログ分配器５２をさらに備え、ヘッドアンプ５３ａと５３ｂは、分配器５２によって分配された２つのアナログオーディオ信号をそれぞれ増幅し、アナログデジタル変換器５４ａと５４ｂは、ヘッドアンプ５３ａと５３ｂによって夫々増幅されたアナログオーディオ信号をデジタルオーディオ信号に変換し、変換したデジタルオーディオ信号を音響調整卓５０ａと５０ｂに夫々入力するようになっていた。
【特許文献１】特開平９−１３５１３５号公報（第３頁、第１図）
【発明の開示】
【発明が解決しようとする課題】
【０００４】
しかしながら、アナログオーディオ信号をアナログ分配器によって分配していたので、アナログ分配器の配置位置によってはアナログ分配器によって分配されたアナログオーディオ信号を増幅装置まで伝送する伝送距離が長くなり、各音響調整卓に入力される音声信号が劣化するという問題があった。
【０００５】
本発明は、従来の問題を解決するためになされたもので、アナログ分配器によってアナログオーディオ信号を分配せず、音声信号の劣化を抑えた増幅装置、およびこの増幅装置を備えた音響システムを提供することを目的とする。
【課題を解決するための手段】
【０００６】
本発明の増幅装置は、第１音響利得によりアナログオーディオ信号を増幅する第１増幅手段と、前記アナログオーディオ信号をデジタルオーディオ信号に変換する変換手段と、第２音響利得により、前記変換手段によって変換された前記デジタルオーディオ信号を増幅する第２増幅手段と、前記第１音響利得の変化に応じて前記第１音響利得と前記第２音響利得との合成利得を一定に維持するように前記第２音響利得を制御する制御手段とを備える構成を有している。
【０００７】
この構成により、アナログデジタル変換器によって変換された後のデジタルオーディオ信号を複数の音響調整卓に入力することができる。
【０００８】
本発明の音響システムは、複数の音響調整卓と、複数のデジタルオーディオ信号を前記複数の音響調整卓にそれぞれ出力する少なくとも１つの増幅装置とを備え、前記増幅装置は、第１音響利得により、アナログオーディオ信号を増幅する第１増幅手段と、前記アナログオーディオ信号をデジタルオーディオ信号に変換する変換手段と、第２音響利得により、前記変換手段によって変換されたデジタルオーディオ信号を増幅する第２増幅手段と、複数の第３音響利得を各々有し、前記第２増幅手段によって増幅されたデジタルオーディオ信号を前記複数の第３音響利得に応じて各々増幅する複数の第３増幅手段と、前記第１音響利得の変化に応じて前記第２音響利得を変更し、前記第１音響利得と前記第２音響利得との合成利得を一定に維持するよう制御する制御手段とを含み、前記変換手段は、前記変換手段が変換したデジタルオーディオ信号を前記複数の音響調整卓の内の１つに出力し、前記複数の第３増幅手段は、前記複数の第３増幅手段が各々増幅したデジタルオーディオ信号を前記１つの音響調整卓を除く複数の音響調整卓に出力し、前記第１音響利得の変更を示す制御信号が前記１つの音響調整卓から前記制御手段に入力されたとき、前記制御手段は、前記第１音響利得と前記第２音響利得との合成利得を一定に維持して第２音響利得を変更するよう前記第２増幅手段を制御し、前記第３音響利得の変更を示す制御信号が前記１つの音響調整卓を除く前記複数の音響調整卓の何れかから前記制御手段に入力されたとき、前記制御手段は、前記第３増幅手段の前記第３音響利得を制御する構成を有している。
【０００９】
この構成により、各音響調整卓にデジタルオーディオ信号を入力することができる。また、各音響調整卓から増幅装置の音響利得を調整することができる。
【００１０】
本発明の音響システムは、複数の音響調整卓と、複数のデジタルオーディオ信号を前記複数の音響調整卓にそれぞれ出力する少なくとも１つの増幅装置とを備え、前記増幅装置は、第１音響利得により、アナログオーディオ信号を増幅する第１増幅手段と、前記アナログオーディオ信号をデジタルオーディオ信号に変換する変換手段と、第２音響利得により、前記変換手段によって変換されたデジタルオーディオ信号を増幅する第２増幅手段と、第３音響利得により、前記第２増幅手段によって増幅されたデジタルオーディオ信号を各々増幅する複数の第３増幅手段と、前記複数の音響調整卓の内の何れか１つを主調整卓として設定し、前記主調整卓として設定された音響調整卓を除く前記複数の音響調整卓をそれぞれ従属調整卓として設定する設定手段と、前記主調整卓として設定された音響調整卓には前記第２音響利得と前記第３音響利得とを特定の値に固定して増幅されたデジタルオーディオ信号が入力されるよう制御し、前記従属調整卓として設定された音響調整卓には前記第１音響利得の変化に応じて前記第２音響利得を変更し、前記第１音響利得と前記第２音響利得との合成利得を一定に維持して増幅されたデジタルオーディオ信号が入力されるよう制御する制御手段とを含む構成を有している。
【００１１】
この構成により、第１増幅手段の第１音響利得が変更可能な音響調整卓を容易に設定および変更することができる。また、各音響調整卓から増幅装置の音響利得を調整することができる。
【００１２】
本発明の音響システムは、前記制御手段は、前記第１音響利得の変化量を検出する検出ユニットと、前記検出ユニットによって検出された変化量に基いて前記第１音響利得が変更されたか否かを判定し、前記第１音響利得が変更されたと判定した時点から予め設定された時間を経過したか否かを判定する判定ユニットとを備え、前記判定ユニットが予め設定された時間を経過したと判定した場合、前記第２音響利得を変更する構成を有している。
【００１３】
この構成により、主調整卓が第１音響利得を調整しても、第１音響利得と第２音響利得との合成利得を一定に維持することができる。
【発明の効果】
【００１４】
本発明は、第１音響利得を有し、第１音響利得に応じてアナログオーディオ信号を増幅し、第１音響利得が変更可能な第１増幅手段と、アナログオーディオ信号をデジタルオーディオ信号に変換する変換手段と、第２音響利得を有し、変換手段によって変換されたデジタルオーディオ信号を第２音響利得に応じて増幅し、第２音響利得が変更可能な第２増幅手段と、第１増幅手段の第１音響利得の変化に応じて第２増幅手段の第２音響利得を変更し、第１増幅手段の第１音響利得と第２増幅手段の第２音響利得との合成利得を一定に維持するよう制御する制御手段とを備えることにより、アナログ分配器によってアナログオーディオ信号を分配せず、音声信号の劣化を抑えるという効果を有する増幅装置、およびこの増幅装置を備えた音響システムを提供することができるものである。
【発明を実施するための最良の形態】
【００１５】
以下、本発明の実施の形態の増幅装置および音響システムについて、図面を参照して説明する。
【００１６】
本発明の第１の実施の形態の増幅装置および音響システムの構成を図１に示す。
【００１７】
音響システム１は、複数の音響調整卓１０ａ、１０ｂ、１０ｃと、音をアナログオーディオ信号に変換し、出力するマイクロホン１１と、マイクロホン１１から出力されたアナログオーディオ信号を増幅する増幅装置１２とを備えている。
【００１８】
増幅装置１２は、第１音響利得を有し、第１音響利得に応じてアナログオーディオ信号を増幅し、第１音響利得が変更可能な第１増幅器１３と、アナログオーディオ信号をデジタルオーディオ信号に変換する変換器１４と、第２音響利得を有し、変換器１４によって変換されたデジタルオーディオ信号を第２音響利得に応じて増幅し、第２音響利得が変更可能な第２増幅器１５と、第１音響利得の変化に応じて第２音響利得を変更し、第１音響利得と第２音響利得との合成利得を一定に維持するよう制御する制御器１６と、第３音響利得を有し、第２増幅器１５によって増幅されたデジタルオーディオ信号を第３音響利得に応じて増幅し、第３音響利得が変更可能な複数の第３増幅器１７ｂ、１７ｃとを含んでいる。
【００１９】
制御器１６は、第１音響利得の変化量を検出する検出ユニット１６ａと、検出ユニット１６ａによって検出された変化量に基いて第１音響利得が変更されたか否かを判定し、第１音響利得が変更されたと判定した時点から予め設定された時間を経過したか否かを判定する判定ユニット１６ｂとを備えている。制御器１６は、判定ユニット１６ｂが予め設定された時間を経過したと判定した場合、第１増幅手段と第２増幅手段の合成利得を一定に維持し、第２音響利得を変更するよう第２増幅器１５を制御するようになっている。
【００２０】
制御器１６は、音響利得の変更を示す制御信号が１つの音響調整卓１０ａから制御器１６に入力されたとき、第１音響利得を変更するよう第１増幅器１３を制御するようになっている。また、制御器１６は、音響利得の変更を示す制御信号が音響調整卓１０ｂから制御器１６に入力されたとき、第３増幅器１７ｂの第３音響利得を変更するよう第３増幅器１７ｂを制御し、音響利得の変更を示す制御信号が音響調整卓１０ｃから制御器１６に入力されたとき、第３増幅器１７ｃの第３音響利得を変更するよう第３増幅器１７ｃを制御するようになっている。
【００２１】
音響調整卓１０ａ、１０ｂ、１０ｃそれぞれは、複数のデジタルオーディオ信号を処理する複数のチャンネルユニットを備えている。また、各チャンネルユニットは増幅装置１２の音響利得の変更を示す制御信号を生成する制御信号生成部を含んでいる。
【００２２】
図１では、増幅装置１２の構成を理解しやすくるため、１つのマイクロホン１１と、１つの増幅装置１２と、複数の音響調整卓１０ａ、１０ｂ、１０ｃとを備えた音響システム１の構成を示したが、実際の音響システムは、複数のアナログオーディオ信号に応じて複数の増幅装置１２を備えている。また、音響調整卓１０ａ、１０ｂ、１０ｃの数の増減に応じて対応できるよう第３増幅器１７ｂ、１７ｃを３つ以上備えてもよい。
【００２３】
図２は、一例として、多目的ホールの音響システムの構成を模式的に示している。
【００２４】
図２に示すように、音響システム１は、複数のマイクロホン１１で集音された複数の音が客席に向けられた複数のスピーカから拡声されるよう複数のマイクロホン１１から出力された複数のオーディオ信号を処理する音響調整卓１０ａと、演奏者の近傍で拡声されるよう複数のマイクロホン１１から出力された複数のオーディオ信号を処理するモニター用音響調整卓１０ｂとを備えている。
【００２５】
次に、図１および図３を参照し、増幅装置および音響システムの動作を説明する。
【００２６】
主調整卓として増幅装置１２に接続された音響調整卓１０ａから第１音響利得の変更を示す制御信号が制御器１６に入力されたとき、本制御器１６により第１増幅器１３の第１音響利得が第１音響利得の変更値に応じて変更される（ステップＳ１）。次いで、第１音響利得の変更が完了したか否かを判定ユニット１６ｂにて判定し（ステップＳ２）、音響利得の変更が完了したと判定したとき、次の工程に進み、図示しないタイマーをリセットし（ステップＳ３）、予め設定された時間のカウントを始める。図示しないタイマーが予め設定された時間をカウントアップしたとき（ステップＳ４）、第１音響利得と第２音響利得の合成利得を一定に維持されるよう、制御器１６により第２増幅器１５の第２音響利得が変更される（ステップＳ５）。
【００２７】
一方、従属調整卓として増幅装置１２に接続された音響調整卓１０ｂから音響利得の変更を示す制御信号が制御器１６に入力されたとき、音響調整卓１０ｂに対応する第３音響利得が変更されるよう第３増幅器１７ｂが制御器１６によって制御される。また、音響調整卓１０ｃから音響利得の変更を示す制御信号が出力されたときには、音響調整卓１０ｃに対応する第３音響利得が変更されるよう第３増幅器１７ｃが制御器１６によって制御される。
【００２８】
以上説明したように、本発明の第１の実施の形態の増幅装置および音響システムによれば、第１音響利得に応じてアナログオーディオ信号を増幅する第１増幅器と、アナログオーディオ信号をデジタルオーディオ信号に変換する変換器と、変換器によって変換されたデジタルオーディオ信号を第２音響利得に応じて増幅する第２増幅器と、第１音響利得の変化に応じて第２音響利得を変更し、第１音響利得と第２音響利得との合成利得を一定に維持するよう制御する制御器とを備えることにより、増幅装置で増幅されたアナログオーディオ信号をデジタルオーディオ信号に変換した後に複数の音響調整卓に送信することができ、また、複数の音響調整卓それぞれから音響利得を変更することができる。また、アナログ分配器によってアナログオーディオ信号を分配せず、音声信号の劣化を抑えることができる。
【００２９】
次に、図４を参照し、本発明の第２の実施の形態の増幅装置および音響システムを説明する。
【００３０】
音響システム２は、複数の音響調整卓２０ａ、２０ｂ、２０ｃと、複数のデジタルオーディオ信号を複数の音響調整卓２０ａ、２０ｂ、２０ｃにそれぞれ出力する少なくとも１つの増幅装置２２とを備えている。
【００３１】
増幅装置２２は、第１音響利得を有し、第１音響利得に応じてアナログオーディオ信号を増幅し、第１音響利得が変更可能な第１増幅器２３と、アナログオーディオ信号をデジタルオーディオ信号に変換する変換器２４と、第２音響利得を有し、変換器２４によって変換されたデジタルオーディオ信号を第２音響利得に応じて増幅し、第２音響利得が変更可能な第２増幅器２５と、第１音響利得の変化に応じて第２音響利得を変更し、第１音響利得と第２音響利得との合成利得を一定に維持するよう制御する制御器２６と、第３音響利得を有し、第２増幅器２５によって増幅されたデジタルオーディオ信号を第３音響利得に応じて増幅し、第３音響利得が変更可能な第３増幅器２７ａ、２７ｂ、２７ｃとを備えている。
【００３２】
制御器２６は、第１音響利得の変化量を検出する検出ユニット２６ａと、検出ユニット２６ａによって検出された変化量に基いて前記第１音響利得が変更されたか否かを判定し、第１音響利得が変更されたと判定した時点から予め設定された時間を経過したか否かを判定する判定ユニット２６ｂと、複数の音響調整卓２０ａ、２０ｂ、２０ｃの内の何れか１つを主調整卓として設定し、主調整卓として設定された音響調整卓を除く複数の音響調整卓をそれぞれ従属調整卓として設定する設定ユニット２６ｃとを含んでいる。また、制御器２６は、判定ユニット２６ｂが予め設定された時間を経過したと判定した場合、第１音響利得と第２音響利得との合成利得を一定に維持するよう第２増幅器２５を制御するようになっている。
【００３３】
さらに、制御器２６は、音響利得の変更を示す制御信号が設定ユニット２６ｃによって主調整卓として設定された１つの音響調整卓２０ａから制御器２６に入力されたとき、第１音響利得を変更するよう第１増幅器２３を制御するようになっている。また、制御器２６は、音響利得の変更を示す制御信号が設定ユニット２６ｃによって従属調整卓として設定された音響調整卓２０ｂから制御器２６に入力されたとき、第３増幅器２７ｂの第３音響利得を変更するよう第３増幅器２７ｂを制御し、音響利得の変更を示す制御信号が設定ユニット２６ｃによって従属調整卓として設定された音響調整卓２０ｃから制御器２６に入力されたとき、第３増幅器２７ｃの第３音響利得を変更するよう第３増幅器２７ｃを制御するようになっている。
【００３４】
また、主調整卓では、アナログオーディオ信号を増幅する第１増幅器２３（従来のヘッドアンプに相当する。）の第１音響利得が変更可能であり、従属調整卓では、アナログオーディオ信号を増幅する第１増幅器の第１音響利得の変更はできない代わりに、第３増幅器２７ａ、２７ｂ、２７ｃの第３音響利得が変更可能である。
【００３５】
以上のように構成された本発明の第２の実施の形態の増幅装置および音響システムの動作について説明する。
【００３６】
特に、第１の実施の形態の増幅装置１２および音響システム１の動作と共通するところの説明は省略し、第１の実施の形態の増幅装置１２および音響システム１の動作と異なるところを説明する。
【００３７】
制御器２６に、複数の音響調整卓２０ａ、２０ｂ、２０ｃの何れか１つが主調整卓として設定される。また、何れか１つを主調整卓として選択した時点で、他の音響調整卓は全て従属調整卓に設定される。
【００３８】
主調整卓として設定された音響調整卓２０ａから音響利得を変更する制御信号が出力されたとき、第１音響利得と第２音響利得との合成利得を一定に維持しながら第１音響利得が変更される。
【００３９】
一方、従属調整卓として設定された音響調整卓２０ｂから音響利得を変更する制御信号が出力されたとき、従属調整卓に対応する第３増幅器２７ｂの第３音響利得が変更されるよう第３増幅器２７ｂが制御される。
【００４０】
以上説明したように、本発明の第２の実施の形態の増幅装置および音響システムによれば、主調整卓として設定された音響調整卓から音響利得の変更を示す制御信号が出力されたとき、第１音響利得を変更するよう第１増幅器を制御し、従属調整卓として設定された音響調整卓から音響利得の変更を示す制御信号が出力されたとき、第３音響利得を変更する制御を行う制御器を設けることにより、主調整卓と従属調整卓とから出力された制御信号に応じて音響利得を変更することができる。
【００４１】
なお、音響システム２は、増幅装置２２ごとに制御器２６を備えると説明したが、音響システムが複数の増幅装置を備える場合には、図５に示すように、音響システム３が、増幅装置３２の外部に制御器３６を備え、制御器３６が複数の増幅装置３２を制御するようにしてもよい。この場合、複数の増幅装置３２の各構成要素は制御器３６を除き、図４に示した増幅装置２２の各構成要素と同じであるため、各構成要素の説明は省略する。
【産業上の利用可能性】
【００４２】
以上説明したように、本発明に係る増幅装置および音響システムは、アナログ分配器によってアナログオーディオ信号を分配せず、音声信号の劣化を抑えるという効果を有し、放送スタジオや多目的ホールにおいてマイクロホン等から出力されるアナログオーディオ信号を増幅し、複数の音響調整卓から音響利得が調整可能な増幅装置、およびこの増幅装置を備えた音響システム等として有用である。
【図面の簡単な説明】
【００４３】
【図１】本発明の第１の実施の形態に係る増幅装置と音響システムの構成のブロック図
【図２】本発明の第１の実施の形態に係る音響システムの構成を模式的に示した図
【図３】本発明の第１の実施の形態に係る増幅装置と音響システムの動作を示すフローチャート
【図４】本発明の第２の実施の形態に係る増幅装置と音響システムの構成のブロック図
【図５】本発明の第２の実施の形態に係る増幅装置と音響システムの構成のブロック図
【図６】従来の音響システムの構成のブロック図
【符号の説明】
【００４４】
１、２、３  音響システム
１０ａ、１０ｂ、１０ｃ  音響調整卓
１１  マイクロホン
１２  増幅装置
１３  第１増幅器
１４  変換器
１５  第２増幅器
１６  制御器
１６ａ  検出ユニット
１６ｂ  判定ユニット
１７ｂ、１７ｃ  第３増幅器
２０ａ、２０ｂ、２０ｃ  音響調整卓
２１  マイクロホン
２２  増幅装置
２３  第１増幅器
２４  変換器
２５  第２増幅器
２６  制御器
２６ａ  検出ユニット
２６ｂ  判定ユニット
２６ｃ  設定ユニット
２７ａ、２７ｂ、２７ｃ  第３増幅器
３０ａ、３０ｂ、３０ｃ  音響調整卓
３１  マイクロホン
３２  増幅装置
３３  第１増幅器
３４  変換器
３５  第２増幅器
３６  制御器
３６ａ  検出ユニット
３６ｂ  判定ユニット
３６ｃ  設定ユニット
３７ａ、３７ｂ、３７ｃ  第３増幅器
【図１】
2005223831.tif 000003
【図２】
2005223831.tif 000004
【図３】
2005223831.tif 000005
【図４】
2005223831.tif 000006
【図５】
2005223831.tif 000007
【図６】
2005223831.tif 000008